(57)【要約】【課題】異なる検出精度が要求されるフリック入力と手書き入力の２種類の入力操作に対して、フリック入力時のユーザーの操作感を損う可能性を低減する感圧式タッチパネル装置を提供する。【解決手段】感圧式タッチパネル装置であって、手書き入力よりも検出精度が要求されないフリック入力時には、簡易検出部（３１）によって、手書き入力時よりも少ない電圧検出回数によってタッチ位置が決定する。このため、より短い時間でタッチ位置が決定され、ユーザーの操作感を損なうおそれを低減することができる。また、手書き入力時には、詳細検出部（３２）によって、フリック入力時よりも多い回数の電圧検出結果からタッチ位置を決定する、より正確にタッチ位置を判定することができる。【選択図】図１
2014134968.tif 000002
【特許請求の範囲】
【請求項１】
画像を表示する表示パネル（２０）と、
第１の抵抗膜（１１Ｘ）と、第２の抵抗膜（１１Ｙ）が対向配置されており、ユーザーのタッチ操作によって前記第１、第２の抵抗膜が互いに接触しているときの電圧値より、前記タッチ操作が為されている位置であるタッチ位置を検出するためのタッチパネル部（１０）と、を備え、前記タッチパネル部は前記表示パネルに積層されている感圧式タッチパネル装置（１００）であって、
フリック入力モードと手書き入力モードとを切り替えるモード切替部（４５）と、
フリック入力モード時に、前記タッチ位置を検出するための電圧値の検出を第１所定回数行い、前記第１所定回数分の電圧値の検出結果に基づいて前記タッチ位置を決定する簡易検出部（３１）と、
手書き入力モード時に、前記第１所定回数よりも多い第２所定回数、前記タッチ位置を検出するための電圧値の検出を行い、前記第２所定回数分の電圧値の検出結果に基づいて前記タッチ位置を決定する詳細検出部（３２）と、を備えることを特徴とする感圧式タッチパネル装置。
【請求項２】
請求項１において、
ユーザーがフリック入力モードと手書き入力モードとを切り替える指示を入力するためのモード切替ボタン（Ｂ１）を前記表示パネルの所定領域に表示させるボタン表示処理部（４２）と、
前記タッチパネル部の前記モード切替ボタンに対応する位置がタッチされたことを検出するボタンタッチ検出部（４１）と、
前記ボタンタッチ検出部で前記タッチパネル部の前記モード切替ボタンに対応する位置がタッチされたことを検出した場合に、前記モード切替部はフリック入力モードと手書き入力モードとを切り替えることを特徴とする感圧式タッチパネル装置。
【請求項３】
請求項１または２において、
所定の切替タッチ操作の手順を記憶している記憶部（４４）と、
ユーザーが前記タッチパネル部に入力したタッチ操作の手順と前記記憶部が記憶している前記手順とを照合することで前記切替タッチ操作を検出する切替操作検出部（４３）と、
前記切替操作検出部が前記切替タッチ操作を検出した場合に、前記モード切替部はフリック入力モードと手書き入力モードとを切り替えることを特徴とする感圧式タッチパネル装置。
【請求項４】
請求項１から３の何れか１項において、
手書き入力するための画面である手書き入力画面を前記表示パネルに表示させる感圧式タッチパネル装置であって、
前記表示パネルに表示している画面が、前記手書き入力画面であるか否かを判定する画面種別判定部（４６）と、
前記モード切替部は、前記画面種別判定部で現在表示されている画面が手書き入力画面であると判定された場合には手書き入力モードに設定し、前記画面種別判定部で現在表示されている画面が手書き入力画面でないと判定された場合にはフリック入力モードに設定することを特徴とする感圧式タッチパネル装置。
【請求項５】
請求項２において、
前記モード切替ボタンは、フリック入力モードが設定されている場合と手書き入力モードが設定されている場合とで、異なるデザインで表示されることでフリック入力モードに設定されているか手書き入力モードに設定されているかを示すことを特徴とする感圧式タッチパネル装置。
【請求項６】
請求項３において、
前記記憶部は、１回目のタッチ操作から一定時間内かつ１回目のタッチ操作のタッチ位置から一定距離内に２回目のタッチ操作をするダブルタップ操作を切替タッチ操作として記憶しており、
前記切替操作検出部がこのダブルタップ操作を検出した場合に、前記モード切替部はフリック入力モードと手書き入力モードとを切り替えることを特徴とする感圧式タッチパネル装置。
【発明の詳細な説明】
【技術分野】
【０００１】
本発明は、圧力を加えた位置（タッチ位置）に応じて抵抗値が変化する２つの抵抗膜に基づき、タッチ位置の検出を行う感圧式タッチパネル装置に関する。
【背景技術】
【０００２】
従来、ナビゲーション装置などの入力装置としてタッチパネル装置が利用されており、ユーザーはタッチパネル装置を指やペンでタッチ操作することで、たとえばナビゲーション装置に入力操作することが出来る。
【０００３】
近年、このタッチパネル装置において単純なタッチ入力に加えて、タッチパネル装置上で指をスライドさせる、いわゆるフリック入力に対応することへの需要が高まっている。フリック入力に対してタッチパネル装置は、ユーザーのタッチ開始位置を起点として、起点から指が動いた方向と指が動いた速度を検出する。このフリック入力は、たとえば表示画面上の地図をスクロールするときなどに利用される。
【０００４】
さらに、このフリック入力に加え、例えば文字の手書き入力といった、フリック入力よりも高い検出精度が必要な入力操作に対応することへの需要が高まっている。手書き入力では、文字を形作る複数の特徴点の位置関係を正しく認識する必要があるため、指の動いた方向や速度を検出すればよいフリック入力よりも、高い検出精度が必要となる。
【０００５】
しかしながら、一般に感圧式タッチパネル装置は、２枚の抵抗膜が接触したときの抵抗値の変化によってタッチ位置を検出するため、指でタッチ操作する場合には、抵抗膜の接触面積が大きくなり、検出精度が悪くなる。そこで、特許文献１では、タッチ位置を検出するための電圧値を複数回検出し、それら複数回の検出結果からタッチ位置を決定することで検出精度を向上させる技術が開示されている。
【０００６】
ところで、感圧式以外のタッチパネル装置としては、たとえば静電容量式のタッチパネル装置がある。静電容量式タッチパネルは一般的に、指で操作する状況においては感圧式よりも高い検出精度を実現できるものの、感圧式タッチパネル装置よりも高価であることが知られている。
【先行技術文献】
【特許文献】
【０００７】
【特許文献１】特開２００３−２９６０３０号公報
【発明の概要】
【発明が解決しようとする課題】
【０００８】
特許文献１に記載の技術では、タッチ位置を検出するための電圧値を複数回検出するため、タッチ位置の検出に時間がかかってしまう。検出精度が手書き入力ほど要求されないフリック入力をする場合には、位置検出に時間がかかることで、ユーザーの操作感を損なうおそれがある。
【０００９】
そこで、検出精度の高い静電容量式タッチパネルを用いることで、操作感と検出精度を両立させることも考えられる。しかし、静電容量式タッチパネルは感圧式タッチパネルに比べてコストが増加してしまうといった課題があるため、安価な感圧式タッチパネルを採用したい場合も多い。
【００１０】
本発明は、以上を鑑みて為されたものであり、フリック入力と手書き入力という異なる検出精度が要求される２種類の入力操作に対して、フリック入力時のユーザーの操作感を損う可能性を低減する感圧式タッチパネル装置を提供することにある。
【課題を解決するための手段】
【００１１】
その目的を達成するための本発明は、画像を表示する表示パネル（２０）と、
第１の抵抗膜（１１Ｘ）と、第２の抵抗膜（１１Ｙ）が対向配置されており、ユーザーのタッチ操作によって前記第１、第２の抵抗膜が互いに接触しているときの電圧値より、前記タッチ操作が為されている位置であるタッチ位置を検出するためのタッチパネル部（１０）と、を備え、前記タッチパネル部は前記表示パネルに積層されている感圧式タッチパネル装置（１００）であって、
フリック入力モードと手書き入力モードとを切り替えるモード切替部（４５）と、
フリック入力モード時に、前記タッチ位置を検出するための電圧値の検出を第１所定回数行い、前記第１所定回数分の電圧値の検出結果に基づいて前記タッチ位置を決定する簡易検出部（３１）と、
手書き入力モード時に、前記第１所定回数よりも多い第２所定回数、前記タッチ位置を検出するための電圧値の検出を行い、前記第２所定回数分の電圧値の検出結果に基づいて前記タッチ位置を決定する詳細検出部（３２）と、を備えることを特徴とする。
【００１２】
これによれば、手書き入力よりも検出精度が要求されないフリック入力時には、手書き入力時よりも少ない電圧検出回数によってタッチ位置が決定される。このため、より短い時間でタッチ位置が決定され、ユーザーの操作感を損なうおそれを低減することができる。また、手書き入力時には、フリック入力時よりも多い回数の電圧検出結果からタッチ位置を決定するため、より正確にタッチ位置を判定することができる。
【図面の簡単な説明】
【００１３】
【図１】本発明の感圧式タッチパネル装置としての機能を備えたナビゲーションシステム１００の構成を表すブロック図である。
【図２】（Ａ）は本実施形態におけるタッチパネル装置が備えるタッチパネル部の構成を説明するための概略図であり、（Ｂ）および（Ｃ）は、（Ａ）の等価回路である。
【図３】本実施形態のタッチパネル装置においてタッチ位置を検出するための回路図である。
【図４】本実施形態における座標検出処理の流れを示すフローチャートである。
【図５】本実施形態における手書き入力モード時のタッチ位置決定処理の流れを示すフローチャートである。
【図６】本実施形態におけるフリック入力モード時のタッチ位置決定処理の流れを示すフローチャートである。
【図７】画面種別判定部４６よって入力モードを切り替える処理の流れを示すフローチャートである。
【図８】地図表示画面の模式図である。
【図９】地図表示画面の模式図である。
【図１０】手書き入力画面の模式図である。
【図１１】ボタンタッチ検出部４１によって入力モードを切り替える操作を説明するための模式図である。
【図１２】ボタンタッチ検出部４１によって入力モードを切り替える処理の流れを示すフローチャートである。
【図１３】切替ボタンＢ１の表示例である。
【図１４】切替操作検出部４３によって入力モードを切り替える操作を説明するための模式図である。
【発明を実施するための形態】
【００１４】
以下、本発明の実施形態について、図面に基づいて説明する。以下に説明する実施形態は、本発明の感圧式タッチパネル装置としての機能を備えたナビゲーションシステム１００である。図１に示すようにナビゲーションシステム１００は、ナビゲーション部４と表示部３とを備えている。このナビゲーション部４と表示部３とは、例えばＣＡＮ（Ｃｏｉｔｒｏｌｌｅｒ  Ａｒｅａ  Ｎｅｔｗｏｒｋ）などの通信プロトコルに準拠した車内ＬＡＮでそれぞれ接続される。なお、本実施形態においてナビゲーション部４と表示部３は、比較的通信速度の速い通信経路１（例えばＣＡＮバス）と、通信経路１よりも速度の小さい通信経路２の、通信速度の異なる２種類の通信経路によって接続されるものとする。
【００１５】
このナビゲーションシステム１００は、後述するタッチパネル部１０上でユーザーが指Ｆをスライドさせるフリック入力に対応しており、ユーザーは、フリック入力することで表示部３で表示される地図などの画像をスクロールさせることができる。また、フリック入力に加えて、このナビゲーションシステム１００は文字の手書き入力にも対応しており、フリック入力時のタッチ位置の検出モードとしてフリック入力モードを、手書き入力時のタッチ位置の検出モードとして手書き入力モードを備えている。以下、このナビゲーションシステム１００が備えるナビゲーション部４や表示部３についての詳細と、これらの要素の作動について説明する。
【００１６】
まず、ナビゲーション部４は、一般的なナビゲーション装置と同様の経路案内を行うナビゲーション機能を有している他に、例えば、携帯電話機との間でＢｌｕｅｔｏｏｔｈ（登録商標）通信を行う機能を有している。ナビゲーション部４は、このナビゲーション部４における各種処理を実施するための制御装置４０を備えている。
【００１７】
制御装置４０は、マイクロコンピュータを主として構成され、いずれも周知のＣＰＵ、ＲＯＭ・ＲＡＭ・ＥＥＰＲＯＭ等のメモリ、Ｉ／Ｏ、及びこれらを接続するバスによって構成される。制御装置４０は、自動車等の車両に搭載されるナビゲーション装置において通常行われる経路案内処理を実施する。また、経路案内処理の一部として、あるいは、経路案内処理とは別の処理として、表示部３に表示させる画像のデータ（画像データ）を生成し、その生成した画像データを通信経路１または２を介して制御装置３０に出力する。
【００１８】
本実施形態において、制御装置４０は画像データとして、地図を表示するための地図画像データと、手書き入力によって文字を入力する領域を表示するための手書き入力用画像データを生成し、表示部３に出力する。以降では、地図画像データに基づいて地図画像を表示しているときの表示パネル２０の画面を地図表示画面とし、手書き入力用画像データに基づいて手書き入力用画像を表示しているときの表示パネル２０を手書き入力画面と称する。なお、地図表示画面は、地図画像のほかに、車両の現在地、進行方向、目的地までの所要時間等の情報を表示する。また、手書き入力画面は、文字を手書き入力するための領域を適宜表示する。また、これらの画像を表示する領域のほかに、ナビゲーション部４を操作するためのＨＭＩ（Ｈｕｍａｎ  Ｍａｃｈｉｎｅ  Ｉｎｔｅｒｆａｃｅ）ボタンが表示パネル２０の下部や隅部に適宜表示されるものとする。
【００１９】
さらに、制御装置４０は、通信経路１または２を介して表示部３より、ユーザーがタッチパネル部１０のタッチしている位置（タッチ位置）を取得し、そのタッチ位置に基づいて各種処理を実施する。その処理を行うために、制御装置４０は、ボタンタッチ検出部４１、切替操作検出部４３、ボタン表示処理部４２、記憶部４４、モード切替部４５、および画面種別判定部４６を機能として備えている。
【００２０】
画面種別判定部４６は、制御装置３０に出力している画像データの種類から現在の表示パネル２０に表示されている画面の種別を判定し、その画面種別によってモード切替部４５にモード切替信号を出力する。すなわち、制御装置３０に出力している画像データから、表示部３が表示する画面が地図表示画面であると判定した場合には、フリック入力モードに設定するモード切替信号を出力する。また、表示部３が表示する画面が手書き入力画面であると判定した場合には、手書き入力モードに設定するモード切替信号を出力する。なお、本実施形態では、画面の種別が切り替わるタイミングで適宜、モード切替信号を出力するものとする。
【００２１】
モード切替部４５は、モード切替信号が入力されると、そのモード切替信号に基づいて、フリック入力モードと手書き入力モードとを切り替える処理を実施する。また、入力モードの切替に伴って、制御装置３０にタッチ位置検出処理を実施する検出部（後述する簡易検出部３１および詳細検出部３２）を切り替えさせるための検出部切替信号を出力する。すなわち、フリック入力モード時には、簡易検出部３１でタッチ位置検出処理を実施するように指示し、手書き入力モード時には、詳細検出部３２でタッチ位置検出処理を実施するように指示する。
【００２２】
ボタン表示処理部４２は、タッチパネル部１０の表示画面上の所定の領域にフリック入力モードと手書き入力モードを切り替えるためのＨＭＩボタン（以降、切替ボタン）Ｂ１を表示させる機能である。
【００２３】
ボタンタッチ検出部４１は、この切替ボタンＢ１が表示されているときに、切り替えボタンＢ１が表示されている領域に対応するタッチパネル部１０の領域をユーザーがタッチ操作したことを検出すると、モード切替部４５にモード切替信号を出力する。なお、この切替ボタンＢ１が請求項に記載のモード切替ボタンに相当する。
【００２４】
記憶部４４は、例えばフラッシュメモリ等の適宜のメモリにて構成されており、フリック入力モードと手書き入力モードとを切り替えるための所定の切替タッチ操作の手順が登録されている。
【００２５】
なお、本実施形態では、画面種別判定部４６によって手書き入力画面では自動的に手書き入力モードに設定されるため、上述した切替ボタンＢ１は、手書き入力画面が表示されている間は表示されないように制御されるものとする。これによって、ユーザーの誤った操作により手書き入力をするときにフリック入力モードに切り替わらないようにすることができる。また、地図表示画面でも、同様の理由から、手書き入力画面が表示されている間は、この切替ボタンＢ１が表示されないように制御される。
【００２６】
切替操作検出部４３は、通信経路１または２を介して制御装置３０より入力されるユーザーのタッチ操作の手順（すなわち時間変化に伴うタッチ位置の変化を示す信号）が、記憶部４４に登録されている所定の切替タッチ操作の手順と一致するかを照合する。ここで、所定の切替タッチ操作としては、ユーザーが１回目のタッチ操作から一定時間内かつ１回目のタッチ位置から一定範囲内に、２回目のタッチ操作をする、いわゆるダブルタップ操作（図１４中のＣ）が登録されている。もちろん、このダブルタップ操作以外の所定の手順（たとえばアルファベットのＬを描くように指Ｆをスライドさせるなど）を、切替タッチ操作として登録しておいてもよい。そして、切替操作検出部４３は、記憶部４４に登録されている所定の切替タッチ操作の手順と一致する操作を検出した場合は、モード切替部４５にモード切替信号を出力する。なお、手書き入力画面が表示されている間は、記憶部４４に登録されている所定の切替タッチ操作とユーザーのタッチ操作の手順とを照合しないように制御されるものとする。これによって、ユーザーの誤った操作により手書き入力をするときにフリック入力モードに切り替わらないようにすることができる。また、同様に、地図表示画面が表示されている間は、記憶部４４に登録されている所定の切替タッチ操作とユーザーのタッチ操作の手順とを照合しないように制御される。
【００２７】
表示部３は、タッチパネル部１０、表示パネル２０、制御装置３０を備えており、制御装置３０と、タッチパネル部１０、表示パネル２０とは、たとえばバスでそれぞれ相互に接続されている。
【００２８】
制御装置３０は、マイクロコンピュータを主として構成され、いずれも周知のＣＰＵ、ＲＯＭ・ＲＡＭ・ＥＥＰＲＯＭ等のメモリ、Ｉ／Ｏ、及びこれらを接続するバスを備えている。制御装置３０は、制御装置４０より入力される画像データに基づいて、表示パネル２０に画像を表示させる。また制御装置３０は、タッチパネル部１０の制御信号を出力することで、タッチパネル部１０が備える複数のスイッチのオン／オフを制御する。また、制御装置３０はタッチパネル部１０より逐次タッチ位置を検出するための検出データ（すなわち電圧値）を逐次取得する。
【００２９】
さらに、制御装置３０は、ユーザーのタッチ位置を検出する機能として、簡易検出部３１と詳細検出部３２の２種類の検出部を備えている。これらの検出部はナビゲーション部４の備える制御装置４０からの検出部切替信号に基づいて切り替えて用いられる。これら２種類の検出部がタッチ位置を検出する手順についての詳細は、後で説明する。
【００３０】
表示パネル２０は、制御装置３０からの入力に基づいてテキストや画像を表示する。例えば表示パネル２０は、フルカラー表示が可能なものであって、ＴＦＴ液晶ディスプレイ、有機ＥＬディスプレイ等を用いて構成することができる。この表示パネル２０に、次に説明するタッチパネル部１０が積層されている。
【００３１】
タッチパネル部１０は、制御装置３０より各種制御信号が逐次（たとえば２０ミリ秒毎）入力されるとともに、その制御信号に基づいてタッチ位置を決定するための検出結果を逐次制御装置３０に出力する。図２の（Ａ）に示すように、タッチパネル部１０が備える２枚の抵抗膜１１Ｘ（第１の抵抗膜）、１１Ｙ（第２の抵抗膜）は、表示パネル２０と同様に略長方形状に構成され、上下に重ねられて対向配置される。これら２枚の抵抗膜１１Ｘ、１１Ｙの直交する２方向、つまり長辺方向をＸ方向、短辺方向をＹ方向とすると、２枚のうちの一方の抵抗膜１１Ｘは、Ｘ方向の両端に電極１１Ｘａ、１１Ｘｂが形成された構成となっている。また、他方の抵抗膜１１ＹはＹ方向の両端に電極１１Ｙａ、１１Ｙｂが形成された構成となっている。従って、図２（Ａ）に示す２枚の抵抗膜１１Ｘ、１１Ｙは、図２（Ｂ）に示すようにＸ方向に延設された抵抗とＹ方向に延設された抵抗とが重なっている回路構成と等価になる。ここで、ユーザーがタッチパネル部１０をタッチしていない場合、２枚の抵抗膜１１Ｘ、１１Ｙは電気的に離れている。しかし、ユーザーがタッチパネル部１０をタッチしている場合、そのタッチしている点をＺとすると、２枚の抵抗膜はＺ点で電気的につながるため、２枚の抵抗膜１１Ｘ、１１Ｙによる等価回路は、図２（Ｂ）から図２（Ｃ）のようになる。なお、ユーザーのタッチ位置Ｚは、上述したＸ方向に平行なＸ軸、およびＹ方向に平行なＹ軸で構成される平面座標上の点として表されるものとする。このとき、平面座標系におけるＸ座標は電極１１Ｘａからの距離に相当し、Ｙ座標は電極１１Ｙａからの距離に相当する。
【００３２】
２枚の抵抗膜の各電極１１Ｘａ、１１Ｘｂ、１１Ｙａ、１１Ｙｂは、図３に示すようにスイッチ回路部１５を介して、制御装置３０の各端子と接続されている。なお、本実施形態において、スイッチ回路部１５はタッチパネル部１０が備える構成とするが、その他の形態として制御装置３０などの他の要素が適宜備える構成としてもよい。
【００３３】
スイッチ回路部１５はｎｐｎトランジスタ（以下、単にＴＲとする）１、ＴＲ２、ＴＲ３、ＴＲ４、ＴＲ５、および抵抗Ｒ０を備えている。抵抗Ｒ０の抵抗値は、抵抗膜１１Ｘ、１１Ｙの抵抗値に比べて十分大きい値である。スイッチ回路部１５のＴＲ１は、制御装置３０の出力端子ＴＳＷＯＵＴ−Ｘａからの制御信号に基づいてスイッチングが行われる。すなわち、ＴＳＷＯＵＴ−Ｘａの信号がＨｉｇｈ（以降、簡略のためＨｉ）レベルのときは、ＴＲ１がオンになり、ＴＳＷＯＵＴ−Ｘａの信号がＬｏｗレベルのときは、ＴＲ１がオフとなる。ＴＲ２、ＴＲ３、ＴＲ４、ＴＲ５に関しても、ＴＲ１と同様に、出力端子ＴＳＷＯＵＴ−Ｙａ、ＴＳＷＯＵＴ−Ｘｂ、ＴＳＷＯＵＴ−Ｙｂ、ＴＳＷＯＵＴ−ＯＮからの制御信号に基づいて、それぞれオン／オフが切り替えられる。
【００３４】
また、Ｘ座標に相当するデータとして、Ｙａの電圧が入力端子ＴＳＷＩＮ−Ｙａに入力され、Ｙｂの電圧がＴＳＷＩＮ−Ｙｂに入力される。Ｙ座標に相当するデータとして、Ｘａの電圧がＴＳＷＩＮ−Ｘａに入力され、Ｘｂの電圧がＴＳＷＩＮ−Ｘｂに入力される。
【００３５】
以下、このＸ座標およびＹ座標の検出手順について、図４のフローチャートを用いて説明する。まず、Ｘ座標を検出する際には、ＴＳＷＯＵＴ−ＸａおよびＴＳＷＯＵＴ−Ｘｂの電位をＨｉレベルとし、ＴＳＷＯＵＴ−ＹａおよびＴＳＷＯＵＴ−Ｙｂの電位をＬｏｗレベルとする（ステップＳ１０）。ＴＳＷＯＵＴ−ＯＮは、Ｘ座標、Ｙ座標を検出するときはいずれもＬｏｗレベルとする。
【００３６】
ＴＳＷＯＵＴ−ＸａをＨｉレベルとすることにより、スイッチ回路部１５のＴＲ１がオンし、電極１１Ｘａに電源電圧（ここではＶｃｃ＝５Ｖ）が印加される。また、ＴＳＷＯＵＴ−ＸｂをＨｉレベルとすることにより、ＴＲ３がオンし、電極１１Ｘｂがほぼ接地電位とされる。一方、ＴＲ２およびＴＲ４が共にオフとなるため、電極１１Ｙａ、電極１１Ｙｂは共にフローティング状態となる。
【００３７】
ここで、タッチ位置Ｚの電位Ｖｘは、抵抗膜１１Ｘにおける電極Ｘａからタッチ位置Ｚまでの抵抗値と、タッチ位置Ｚから電極Ｘｂまでの抵抗値とによって決定される。このため、上述したスイッチ回路部１５の状態において、ユーザーがタッチ操作することによって２枚の抵抗膜１１Ｘ、１１Ｙが接触すると、フローティング状態の抵抗膜１１Ｙの電位が、抵抗膜１１Ｘ上のユーザーがタッチした位置Ｚの電位Ｖｘと等しくなる。この電位ＶｘがＸ座標に相当するデータとして入力端子ＴＳＷＩＮ−ＹａおよびＴＳＷＩＮ−Ｙｂに入力される（ステップＳ１１）。制御装置３０の検出部（簡易検出部３１または詳細検出部３２）は、入力された電圧値（アナログ値）をＡ／Ｄ変換し、デジタル値として読み込むことによりＸ座標を取得する（ステップＳ１２）。なお、Ｘ座標に相当する電圧値は、ＴＳＷＩＮ−ＹａおよびＴＳＷＩＮ−Ｙｂの両方から取得することができる。ここでは、ＴＳＷＩＮ−Ｙａ、ＴＳＷＩＮ−Ｙｂのいずれか一方からのデータを用いてＸ座標を決定するものとするが、もちろん両方からのデータに基づいて、Ｘ座標を決定してもよい。その場合は、両方の平均値をＸ座標に相当する電圧値として採用すればよい。
【００３８】
Ｙ座標を検出する際には、ＴＳＷＯＵＴ−ＹａおよびＴＳＷＯＵＴ−Ｙｂの電位をＨｉレベルとし、ＴＳＷＯＵＴ−ＸａおよびＴＳＷＯＵＴ−Ｘｂの電位をＬｏｗレベルとする（ステップＳ１３）。ＴＳＷＯＵＴ−ＯＮはＬｏｗレベルである。ＴＳＷＯＵＴ−ＹａをＨｉレベルとすることにより、スイッチ回路部１５のＴＲ２がオンし、電極１１Ｙａに電源電圧（ここではＶｃｃ＝５Ｖ）が印加される。また、ＴＳＷＯＵＴ−ＹｂをＨｉレベルとすることにより、ＴＲ４がオンし、電極１１Ｙｂがほぼ接地電位となる。一方、ＴＲ１、ＴＲ３が共にオフとなるため、電極１１Ｘａ、電極１１Ｘｂは共にフローティング状態となる。
【００３９】
ユーザーがタッチした位置Ｚの電位Ｖｙは、抵抗膜１１Ｙにおいて電極Ｙａからタッチ位置Ｚまでの抵抗値と、タッチ位置Ｚから電極Ｙｂまでの抵抗値とによって決定される。このため、ユーザーがタッチパネル部１０をタッチすることによって２枚の抵抗膜１１Ｘ、１１Ｙが接触すると、フローティング状態の抵抗膜１１Ｘの電位が、抵抗膜１１Ｙにおけるユーザーのタッチ位置Ｚの電位Ｖｙと等しくなる。この電位ＶｙがＹ座標に相当するデータとして入力端子ＴＳＷＩＮ−ＸａおよびＴＳＷＩＮ−Ｘｂに入力される（ステップＳ１４）。検出部は、入力された電圧値をＡ／Ｄ変換し、デジタル値として読み込むことによりＹ座標を取得する（ステップＳ１５）。なお、Ｙ座標に相当する電圧値も、ＴＳＷＩＮ−ＸａおよびＴＳＷＩＮ−Ｘｂの両方から取得することができる。本実施形態では、Ｘ座標を検出したときと同様に、ＴＳＷＩＮ−Ｘａ、ＴＳＷＩＮ−Ｘｂのいずれか一方からのデータを用いてＹ座標を決定するものとするが、もちろん両方からのデータに基づいて、Ｙ座標を決定してもよい。その場合は、両方の平均値をＹ座標に相当する電圧値として採用すればよい。
【００４０】
ここで、詳細検出部３２によるタッチ位置検出処理を図５のフローチャートを用いて説明する。このフローチャートは手書き入力モードになっているときに逐次実施されており、ステップＳ２０より開始される。なお、手書き入力時のタッチ位置検出処理では、座標検出回数を判定するための０以上の整数ｉと、座標を検出する回数である検出回数Ｎ（Ｎは自然数）を導入する。検出回数Ｎは、適宜設定すればよく、本実施形態ではＮ＝４とする。この検出回数Ｎが請求項に記載の第２所定回数に相当する。なお、ｉ回目の座標検出処理（後述するステップＳ２８）で取得したＸ座標、Ｙ座標をＸ（ｉ）、Ｙ（ｉ）とする。すなわち、ｉ＝１のときのＸ座標はＸ（１）、Ｙ座標はＹ（１）となる。このＸ（ｉ）、Ｙ（ｉ）は、制御装置３０が備えるメモリの所定の記憶領域に、配列などのデータ構造によってそれぞれ記憶されるものとする。
【００４１】
ステップＳ２０では、座標検出回数を判定するための整数ｉを０としてステップＳ２２に進む。ステップＳ２２ではｉに１を加算し、ステップＳ２４に進む。
【００４２】
ステップＳ２４では、タッチ検出処理を実施してステップＳ２６に進む。このタッチ検出処理では、以下の手順によって、ユーザーがタッチパネル部１０をタッチしているか否かを判定する。
【００４３】
詳細検出部３２は、ＴＳＷＯＵＴ−ＯＮおよびＴＳＷＯＵＴ−Ｙａからスイッチ回路部１５に出力する信号レベルをＨｉとし、ＴＳＷＯＵＴ−Ｘａ、ＴＳＷＯＵＴ−Ｘｂ、ＴＳＷＯＵＴ−ＹｂをＬｏｗレベルとする。
【００４４】
ＴＳＷＯＵＴ−ＹａをＨｉレベルとすることで、ＴＲ２がオンし、電極Ｙａに電源電圧Ｖｃｃが印加される。またＴＳＷＯＵＴ−ＯＮをＨｉレベルとすることで、ＴＲ５がオンし、抵抗Ｒ０が接地される。ここでユーザーがタッチパネル部１０をタッチしていない場合には、上記のスイッチの状態において、この抵抗Ｒ０は電源とは接続されていないため電流が流れず、ＴＳＷＩＮ−Ｘａ、ＴＳＷＩＮ−Ｘｂには０Ｖが入力される。
【００４５】
一方、ユーザーがタッチパネル部１０をタッチしている場合には、抵抗Ｒ０には、抵抗膜１１Ｙを介して電源電圧Ｖｃｃに接続される。ここで、抵抗Ｒ０の抵抗値は抵抗膜１１Ｙの抵抗値よりも十分大きいため、ＴＳＷＩＮ−Ｘａ、ＴＳＷＩＮ−Ｘｂには電源電圧Ｖｃｃに近い電圧値が入力される。
【００４６】
制御装置３０は、このＴＳＷＩＮ−Ｘａ、ＴＳＷＩＮ−Ｘｂに入力される電圧値の変化によって、ユーザーがタッチパネル部１０をタッチしているか否かを判定する。たとえば一定の閾値以上の電圧値が入力されている場合に、ユーザーがタッチパネル部１０をタッチしていると判定すればよい。そして、ユーザーがタッチパネル部１０をタッチしている場合には、ステップＳ２６がＹＥＳとなってステップＳ２８に進む。一方、ユーザーがタッチパネル部１０をタッチしていない場合には、タッチ位置の検出を中断し、ステップＳ２６がＮＯとなってステップＳ２０に戻る。なお、このユーザーがタッチパネル部１０をタッチしているか否かを検出する処理は、公知技術およびその公知技術の回路構成によって実現しても良い（たとえば特許文献１）。
【００４７】
ステップＳ２８では、座標検出処理を実施してステップＳ３０に進む。このステップＳ３０の座標検出処理は、上述したように、図４のフローチャートに従って実施される。
【００４８】
ステップＳ３０では、ｉの値が、検出回数Ｎであるか否かを判定し、ｉ＝ＮであればステップＳ３０がＹＥＳとなってステップＳ３２に進む。また、ｉ＜Ｎであれば、ステップＳ３０がＮＯとなってステップＳ２２に戻る。すなわち、ステップＳ３２に進むときには、Ｘ座標、Ｙ座標としてそれぞれＮ個のデータを取得している。
【００４９】
ステップＳ３２では、ＸＹ座標ソート処理を実施してステップＳ３４に進む。このステップＳ３２のＸＹ座標ソート処理では、ステップＳ２２からステップＳ２８で得られたＸ座標のデータ列（すなわちＸ（１）、…、Ｘ（Ｎ））と、Ｙ座標のデータ列（すなわちＹ（１）、…、Ｙ（Ｎ））を、それぞれ値の小さい順に並べ変える。並べ替えるアルゴリズムは公知のものを用いればよく、たとえば、バブルソート法を用いればよい。
【００５０】
ステップＳ３４では、有効座標選択処理を実施してステップＳ３６に進む。ステップＳ３４の有効座標選択処理では、前ステップＳ３２で並べ替えられたＸ座標の配列において、先頭にある値（＝最も小さな値）と、最後にある値（＝最も大きい値）を破棄する。また、Ｙ座標も同様に、配列の先頭と最後の値を破棄する。
【００５１】
ステップＳ３６では、前ステップＳ３４の結果、Ｘ座標およびＹ座標の各配列において残った値の平均値を算出する。そして、算出されたＸ座標の平均値、Ｙ座標の平均値をタッチ位置ＺのＸ座標、Ｙ座標として決定する（ステップＳ３８）。
【００５２】
本実施形態では、ステップＳ３２〜Ｓ３６において、Ｘ座標、Ｙ座標の各配列において、最も小さい値と最も大きい値を取り除いた検出結果に対する平均値をタッチ位置ＺのＸ、Ｙ座標として決定するが、これに限らない。Ｎ回の検出によって得られた全データの平均値をタッチ位置のＸ座標、Ｙ座標としてもよい。しかしながら、一番小さい値と一番大きい値は、他の検出値よりも誤差が大きい可能性が高いため、これらの値を取り除いて残った検出値の平均値をタッチ位置の座標とすることで、より検出精度を向上させることができる。
【００５３】
なお、本実施形態では、一番小さい値と一番大きい値を取り除く構成としたがこれに限らない。検出結果の値を小さい順（または、大きい順）に並び替えた後、先頭と最後からそれぞれ所定個数（たとえば２個）ずつ取り除くようにしてもよい。また、得られた検出結果の中央値や分散、平均値などに基準にして、タッチ位置Ｚの座標を決定するために用いるデータの範囲を取捨選択する構成としても良い。
【００５４】
詳細検出部３２によって検出されたタッチ位置のデータは、制御装置３０から、高速な通信経路１を介して、ナビゲーション部４の制御装置４０に伝達される。
【００５５】
以上で述べた詳細検出部３２によるタッチ位置検出処理は、手書き入力モード時に適用されるほか、タッチ位置をより正確に検出する必要があるアプリケーション使用時に適用されてもよい。また、単純なタッチ操作（すなわち、表示パネル２０に表示される選択肢を選択する操作）に適用してもよい。
【００５６】
次に、簡易検出部３１によるタッチ位置検出処理を図６のフローチャートを用いて説明する。このフローチャートはフリック入力モードになっているときに逐次実施されており、ステップＳ４０より開始される。なお、フリック入力時のタッチ位置検出処理では、座標検出回数を記録する０以上の整数ｉと、座標を検出する回数である検出回数Ｍを導入する。上限回数Ｍは、１以上で、かつ、上述したＮ（すなわち第２所定回数）よりも小さい値であれば良く、本実施形態ではＭ＝２とする。この検出回数Ｍが請求項に記載の第１所定回数に相当する。
【００５７】
ステップＳ４０では、座標検出回数を判定するための整数ｉを０としてステップＳ４２に進む。ステップＳ４２ではｉに１を加算し、ステップＳ４４に進む。ステップＳ４４では、タッチ検出処理を実施してステップＳ４６に進む。このタッチ検出処理では、上述した詳細検出処理におけるＳ２４と同様の処理である。このタッチ検出処理の結果、ユーザーがタッチパネル部１０をタッチしている場合には、ステップＳ４６がＹＥＳとなってステップＳ４８に進む。一方、ユーザーがタッチパネル部１０をタッチしていない場合には、ステップＳ４６がＮＯとなってステップＳ４２に戻る。
【００５８】
ステップＳ４８では、座標検出処理を実施してステップＳ５０に進む。このステップＳ４８での座標検出処理は、前述した図４のフローチャートに従って実施される。ステップＳ５０では、ｉの値が検出回数Ｍであるか否かを判定し、ｉ＝ＭであればステップＳ５０がＹＥＳとなってステップＳ５２に進む。すなわち、ステップＳ５２に進むときには、Ｘ座標、Ｙ座標としてそれぞれＭ個のデータを取得している。また、ｉ＜Ｍであれば、ステップＳ５０がＮＯとなってステップＳ４２に戻る。
【００５９】
ステップＳ５２では、得られたＭ個のＸ座標、Ｙ座標の値から、それぞれＸ座標の平均値およびＹ座標の平均値を算出する。そして、算出されたＸ座標の平均値、Ｙ座標の平均値をタッチ位置ＺのＸ座標、Ｙ座標として決定する（ステップＳ５４）。以上の簡易検出部３１によって検出されたタッチ位置のデータは、制御装置３０から、通信経路２を介して、ナビゲーション部４の制御装置４０に伝達される。以上で述べた簡易検出部３１によるタッチ位置検出処理は、たとえば表示パネル２０上において指Ｆをスライドさせるフリック入力モードに適用されるほか、単純なタッチ操作に適用されてもよい。
【００６０】
以降では、画面種別判定部４６の出力するモード切替信号に基づいてフリック入力モードと手書き入力モードとを切り替える処理の一例について、図７、図８を用いて説明する。図７のフローチャートは、表示部３に表示させる画像が切り替わるとき、すなわち制御装置４０が制御装置３０に出力する画像データの種別が変更するときに開始される。ここで、画像データの種類としては、例えば、手書き入力画面を表示させるための手書き入力用画像データや、地図表示画面を表示させるための地図画像データなどがある。なお、初期状態として、入力モードは手書き入力モードとする。
【００６１】
まず、ステップＳ７０で画面種別判定部４６は、制御装置３０に出力する画像データが手書き入力用画像データであるか否かを判定する。制御装置３０に出力する画像データが手書き入力用画像データである場合はステップＳ７０がＹＥＳとなってステップＳ７６に進む。制御装置３０に出力する画像データが手書き入力用画像データではない場合はステップＳ７０がＮＯとなってステップＳ７２に進む。ステップＳ７２で画面種別判定部４６は、制御装置３０に出力する画像データが地図画像データであるか否かを判定する。ここで、制御装置３０に出力する画像データが地図画像データである場合は、ステップＳ７２がＹＥＳとなってステップＳ７４に進む。一方、制御装置３０に出力する画像データが地図画像データではない場合は、ステップＳ７２がＮＯとなってステップＳ７６に進む。
【００６２】
ステップＳ７４では、画面種別判定部４６は、入力モードをフリック入力モードに切り替えるモード切替信号をモード切替部４５に出力する。そして、モード切替部４５は、フリック入力モードに切り替えるとともに、制御装置３０にタッチ位置検出処理を実施する検出部を詳細検出部３２から簡易検出部３１に切り替えさせる。
【００６３】
ステップＳ７６で画面種別判定部４６は、入力モードを手書き入力モードに設定する旨のモード切替信号を出力する。ただし、この例ではすでに手書き入力モードであるので、手書き入力モードを維持することになる。画面種別判定部４６よりモード切替信号が入力されたモード切替部４５は、入力モードを手書き入力モードに設定するとともに、制御装置３０にタッチ位置検出処理を実施する検出部を詳細検出部３２から簡易検出部３１に切り替えさせる。その後、再び表示画面の内容が切り替わるときに、上述した処理が実施されることで、フリック入力モードと手書き入力モードのどちらかが設定される。
【００６４】
以上のような構成によれば、比較的検出精度が要求されないフリック入力時には、簡易検出部３１でタッチ位置検出を実施することで、少ない検出回数によってタッチ位置が決定される。このため、より短い時間でタッチ位置が決定され、ユーザーの操作感を損なうおそれを低減することができる。また、手書き入力時には、詳細検出部３２でタッチ位置検出を実施することで、フリック入力時よりも多い検出回数の検出結果からタッチ位置を決定するため、より正確にタッチ位置を判定することができる。
【００６５】
さらに、画面種別判定部４６の判定結果によって入力モードを切り替える構成とすることで、ユーザーは入力モードの切替を意識せずに、表示画面の種別に応じた入力モードで入力操作することができる。
【００６６】
なお、本実施形態では、地図表示画面を表示しているとき以外は手書き入力モードとする（Ｓ７２  ＮＯのときにＳ７６に進む）構成となっているが、これに限らない。手書き入力画面を表示している時のみ、手書き入力モードとする構成としても良い。
【００６７】
また、以上の構成では表示する画像データの種類に応じて、表示パネル２０の全領域Ｒ（すなわち、タッチパネル部１０の全領域）を、フリック入力モードか手書き入力モードかに設定する構成としたが、これに限らない。たとえば、図９に示すように、表示パネル２０上で、地図画像を表示している領域Ｒ１はフリック入力モードとし、地図以外のたとえばＨＭＩボタンを表示している領域Ｒ２は手書き認識モードを適用してもよい。さらには図１０に示すように、表示パネル２０上で、手書き入力する領域Ｒ３だけを手書き入力モードとし、その他の領域をフリック入力モードとしてもよい。このように、ユーザーのタッチする領域によって画面内で入力モードを切り替える場合には、制御装置４０が制御装置３０より取得するユーザーのタッチ位置がどの領域に含まれるかを判定し、その判定結果に基づいて、入力モードを切り替える指示を出す。この場合、１回目のタッチ位置は、本来の入力モードによって検出されるとは限らないが、２回目以降からは適切な入力モードに切り替えられてタッチ位置が検出される。
【００６８】
（変形例）
本実施形態は、フリック入力モードと手書き入力モードとを、ボタンタッチ検出部４１の検出結果によって切り替える次の処理としてもよい。このボタンタッチ検出部４１によって入力モードを切り替える処理を、図１１、図１２を用いて説明する。図１１は、地図表示画面を表示している表示パネル２０の模式図であり、また、ボタン表示処理部４２によって表示パネル２０の所定領域（図１１では画面の右上）に、入力モードを切り替えるための切替ボタンＢ１が配置される。そしてナビゲーションシステム１００は、ユーザーがこの切替ボタンＢ１をタッチしたことを検出した場合にフリック入力モードと手書き入力モードを切り替える。この入力モードの切り替え処理の流れについて図１２を用いて説明する。
【００６９】
ナビゲーションシステム１００において、ボタンタッチ検出部４１による切替ボタンＢ１がタッチされたか否かの判定処理、すなわち、ボタンタッチ検出部４１による入力モードの切り替え判定処理は逐次実施されている。ここでは説明のため、手書き入力モードとなっている状態（ステップＳ６０）から開始されるものとし、ステップＳ６２に進む。ステップＳ６２では、切替ボタンＢ１が表示されている領域に対応するタッチパネル部１０の領域と、ユーザーのタッチ位置とから、ユーザーが切替ボタンＢ１をタッチ操作したか否かを判定する。ユーザーが切替ボタンＢ１をタッチ操作したと判定された場合には、ステップＳ６２がＹＥＳとなってステップＳ６４に進む。一方、ユーザーが切替ボタンＢ１をタッチ操作していないと判定された場合には、ステップＳ６２がＮＯとなって、ステップＳ６２を繰り返す。なお、ステップＳ６２を繰り返している状態においても、上述した詳細検出部３２によるタッチ位置検出処理（すなわち、図５に示す処理）は逐次実施されている。
【００７０】
Ｓ６４では、ボタンタッチ検出部４１は、モード切替部４５にモード切替信号を出力し、手書き入力モードからフリック入力モードに切り替えさせる。そして、モード切替部４５は、制御装置３０に検出部切替信号を出力する。制御装置３０は、制御装置４０より入力された検出部切替信号に基づいて、タッチ位置検出処理を実施する検出部を詳細検出部３２から簡易検出部３１に切り替える。そして、手書き入力モードからフリック入力モードに切り替わってから一定時間（たとえば１０秒）経過した場合に、ステップＳ６６がＹＥＳとなってステップＳ６０に戻る。また、フリック入力モードに切り替わってから一定時間経過するまでは、ステップＳ６６がＮＯとなって、簡易検出部３１によってタッチ位置を検出する状態（すなわちフリック入力モード）を継続する。
【００７１】
なお、ここでは、フリック入力モードに切り替わってから一定時間経過後に自動的に手書き検出モードに戻る構成を例に挙げたが、これに限らない。フリック入力モードに切り替わってから、もう一度切替ボタンＢ１をユーザーがタッチしたときに手書き入力モードに切り替える構成としてもよい。また、一定時間ユーザーからの入力がない場合に自動的に手書き入力モードに戻る構成としてもよい。
【００７２】
以上のように、ユーザーの操作に基づいて入力モードを切り替えられるようにすることで、ユーザーはフリック入力モードと手書き入力モードをユーザーの好みによって使い分けることが可能となる。
【００７３】
さらに、フリック入力モードのときと手書き入力モードのときとで、切替ボタンＢ１のデザインを変更して表示させても良い。たとえば、フリック入力モードの時には切替ボタンＢ１を目の粗い格子柄（図１３（Ａ））とする一方、手書き入力モードの時にはフリック入力モードのときよりも目の細かい格子柄（図１３（Ｂ））とすればよい。または、単純にそれぞれの入力モードで切替ボタンＢ１の色を異なる色や形とするようにしてもよいし、現在の入力モードを表すテキストを表示してもよい。
【００７４】
このような構成とすることで、ユーザーは、現在の入力モードがフリック入力モードと手書き入力モードのどちらに設定されているのかを、ひと目で知ることが可能となり、さらにユーザーの利便性を高めることができる。
【００７５】
また、上述した切替ボタンＢ１の替わりに、切替操作検出部４３の検出結果によって、入力モードを切り替えるようにしてもよい。すなわち、ユーザーは記憶部４４に登録されている所定の切替操作手順で入力操作（例えば図１４に示すダブルタップ操作）することで、入力モードを切り替えることができる。このような構成とすることで、表示画面に表示させるＨＭＩボタンを１つ削減し、地図などの表示パネル２０に表示される画像に対する視認性を高めることができる。
【００７６】
なお、本実施形態においては、画面種別判定部４６によって、手書き入力画面が表示されている間は自動的に手書き入力モードとし、地図表示画面が表示されているときはフリック入力モードとする構成とした。そのため、手書き入力画面（および地図表示画面）を表示しているときには、切替ボタンＢ１を表示せず、ボタンタッチ検出部４１や切替操作検出部４３の検出結果による切替処理を実施しないとしたが、これに限らない。
【００７７】
切替ボタンＢ１の表示およびボタンタッチ検出部４１による検出を常に有効にし、手書き入力画面と地図表示画面が切り替わるたびに、ユーザーが適宜、切替ボタンＢ１をタッチ操作する構成してもよい。切替操作検出部４３の検出結果による切替処理についても同様に、ナビゲーションシステム１００の作動時、常に有効にしてもよい。
【００７８】
さらに、本実施形態のように手書き入力モード時には、フリック入力モード時で用いられる通信経路２よりも高速な通信経路１を介して、タッチ位置が制御装置４０に伝達される構成とすることで、よりスムーズな手書き入力を実現することができる。もちろん、ナビゲーション部４と表示部３は、同一の通信経路によって通信を実施する構成でもよい。
【００７９】
また、フリック入力モード時には、ユーザーの操作性が失われない程度にタッチ位置のサンプリング間隔を低下させてもよい。たとえば、詳細検出部３２では、２０ミリ秒ごとに制御信号を出力して検出結果を取得していたが、フリック入力モード時には、その間隔を４０ミリ秒としてもよい。このようにすることで、制御装置３０および制御装置４０にかかる処理の負荷および通信経路を流れる通信量を低減することができる。
【００８０】
また、フリック入力によって地図画像とスクロール表示しているときは、スクロール表示していないときよりも荒く地図画像を描写してもよい。
【００８１】
なお、本実施形態では、制御装置３０と制御装置４０とを分離したブロックで表しているが、これらはひとつの制御装置によって実現されても良い。さらに、制御装置３０および４０が備える各機能は、制御装置３０と制御装置４０のいずれに備わっていてもよいものである。たとえば、本実施形態では、ボタンタッチ検出部４１やモード切替部４５は、制御装置４０に備えられる構成としたが、これらは制御装置３０に備えられていてもよい。
【００８２】
また、本実施形態では、第１所定回数に相当する検出回数Ｍを２としたが、これに限らない。検出回数Ｍは１回や３回などであってもよく、適宜設計される第２所定回数よりも少ない数であればよい。第２所定回数に相当する検出回数Ｎも、本実施形態では４としたが、これに限らず、その他５回や６回などであってもよく、適宜設計される第１所定回数よりも多い数であればよい。
【００８３】
また、簡易検出部３１によるタッチ位置検出処理は、少なくともフリック入力時に適用されればよく、さらには、手書き入力時を除く、その他の入力操作に適用されても良い。詳細検出部３２によるタッチ位置検出処理も、少なくとも手書き入力時に適用されればよく、さらには、フリック入力時を除く、その他の入力操作に適用されても良い。
【符号の説明】
【００８４】
１００…ナビゲーションシステム（タッチパネル装置）、３…表示部、４…ナビゲーション部、４０…制御装置、４１…ボタンタッチ検出部、４２…切替操作検出部、４３…ボタン表示処理部、４４…記憶部、４５…モード切替部、４６…画面種別判定部、３０…制御装置、３１…簡易検出部、３２…詳細検出部、２０…表示パネル、１０…タッチパネル部、１１Ｘ…第１の抵抗膜、１１Ｙ…第２の抵抗膜
【図１】
2014134968.tif 000003
【図２】
2014134968.tif 000004
【図３】
2014134968.tif 000005
【図４】
2014134968.tif 000006
【図５】
2014134968.tif 000007
【図６】
2014134968.tif 000008
【図７】
2014134968.tif 000009
【図８】
2014134968.tif 000010
【図９】
2014134968.tif 000011
【図１０】
2014134968.tif 000012
【図１１】
2014134968.tif 000013
【図１２】
2014134968.tif 000014
【図１３】
2014134968.tif 000015
【図１４】
2014134968.tif 000016